(57)【要約】      （修正有）【課題】簡易な操作により生簀の水平を維持したまま、沈下及び浮上することができる浮沈式生簀を提供する。【解決手段】浮力体１２を有する海上の生簀のワイヤ巻取機１３と電気ケーブル１９にて接続され、各ワイヤ巻取機１３を駆動制御する制御部と、制御部に対して各種指令を行う操作部が船上又は陸上に設けられ、制御部には複数のワイヤ巻取機１３の各正逆駆動モータをワイヤ巻き取り方向の正方向又はワイヤ引き出し方向の逆方向に同時にオンオフ制御可能な同時オンオフ手段が設けられ、操作部に設けられた同時駆動スイッチを以って複数の正逆駆動モータを正方向又は逆方向に同時にオン又はオフすることにより、生簀を海中において水平姿勢を維持した状態で沈下及び浮上可能に構成する。【選択図】図４
2019097415.tif 000002
【特許請求の範囲】
【請求項１】
生簀が支持されると共に浮力体により水上に水平に浮かぶように構成された基本フレームと、該基本フレームに水平バランスが取れるように均等位置に設けられた防水機能付の複数のワイヤ巻取機と、上記各ワイヤ巻取機に対応して水底に固設された複数のアンカーと、上記各ワイヤ巻取機と対応する上記各アンカーとがワイヤにて接続された浮沈式生簀であって、
上記各ワイヤ巻取機と電気ケーブルにて接続され、上記各ワイヤ巻取機を駆動制御する制御部と、該制御部に対して各種指令を行う操作部が船上又は陸上に設けられ、
上記制御部には、複数の上記ワイヤ巻取機の各正逆駆動モータをワイヤ巻き取り方向の正方向又はワイヤ引き出し方向の逆方向に同時にオンオフ制御可能な同時オンオフ手段が設けられ、
上記操作部に設けられた同時駆動スイッチを以って複数の上記正逆駆動モータを正方向又は逆方向に同時にオン又はオフすることにより、上記生簀を水中において水平姿勢を維持した状態で沈下及び浮上を行うものである浮沈式生簀。
【請求項２】
上記制御部に、上記各ワイヤ巻取機の上記各正逆駆動モータを個別に上記正方向又は上記逆方向にオンオフ制御可能な個別オンオフ手段が設けられ、
上記操作部に上記各正逆駆動モータ毎に個別駆動スイッチが設けられ、
上記操作部における上記個別駆動スイッチと上記同時駆動スイッチを以って、上記制御部の上記同時オンオフ手段と上記個別オンオフ手段とを各別に操作可能としたものである請求項１記載の浮沈式生簀。
【請求項３】
上記基本フレームに傾斜センサが設けられ、該傾斜センサが電気ケーブルにて上記制御部に接続されており、
上記制御部には、上記傾斜センサからの信号に基づいて、上記個別オンオフ手段を以って上記基本フレームの姿勢を水平に制御する水平維持手段が設けられているものである請求項１又は２記載の浮沈式生簀。
【請求項４】
上記基本フレームに深度センサが設けられており、該深度センサが電気ケーブルにて上記制御部に接続され、
上記操作部に深度入力部が設けられ、
上記制御部には、上記深度センサからの信号に基づいて、上記同時オンオフ手段を以って上記各ワイヤ巻取機を駆動することにより、上記生簀を上記深度入力部から入力された所定の深度に沈下又は浮上させる深度制御手段が設けられているものである請求項１〜３の何れかに記載の浮沈式生簀。
【請求項５】
請求項４記載の浮沈式生簀を使用した魚介類の飼育方法であり、
上記深度入力部から、飼育する魚介類の種類に適した深度を入力し、
上記制御部は、入力された深度に基づいて、上記各ワイヤ巻取機を駆動して、上記基本フレームを所定の深度に沈下又は浮上させ、上記生簀を上記深度に維持することを特徴とする浮沈式生簀を使用した魚介類の飼育方法。
【請求項６】
請求項４記載の浮沈式生簀を使用した魚介類の飼育方法であり、
水上の船舶又は陸上から上記生簀内に到達する導入管を設け、
上記導入管を通して上記生簀内の魚介類に餌を散布することを特徴とする浮沈式生簀を使用した魚介類の飼育方法。
【発明の詳細な説明】
【技術分野】
【０００１】
本発明は、魚介類の養殖等に用いられる浮沈式生簀及びそれを使用した魚介類の飼育方法に関するものである。
【背景技術】
【０００２】
従来、この種の浮沈式生簀は、特許文献１に示すように、海面上にフロートによりフレームを浮かせ、該フレームに生簀を取り付け、フロートの空気を排出又は注入することにより、生簀を浮沈可能とするものが提案されている。
【０００３】
また、特許文献２に示すように、海底にアンカーを固定し、該アンカーと海上に浮かぶ生簀を支持した基本フレームとの間をワイヤにて接続し、該ワイヤを上記基本フレーム上の電動ウインチにて巻き取ることにより、上記基本フレームを海中に沈める構成の浮沈式生簀が提案されている。
【先行技術文献】
【特許文献】
【０００４】
【特許文献１】特開２００３−５２２７３号公報
【特許文献２】特開２０１４−８２９９７号公報
【発明の概要】
【発明が解決しようとする課題】
【０００５】
ところで、特許文献１の生簀のように、フロートへの空気の排出、注入を行ってフレームの浮沈を行うものは、複数個所での空気の注入と排出を均等に行うことが非常に難しく、フレームを水平に維持した状態で生簀を昇降させることが難しいという課題があった。
【０００６】
また、特許文献２の生簀では、３台の電動ウインチを同時に駆動することで、基本フレームを沈下又は浮上するものであるが、より簡易な操作により生簀の浮沈動作が可能な浮沈式生簀が望まれている。
【０００７】
一方、海上に浮上している際は、基本フレームが波等により大きく揺れることもあるが、基本フレーム自体はできるだけ波の影響を受けずに水平に維持しておくことが、生簀にとっても好ましい。
【０００８】
本発明は上記従来の課題に鑑みてなされたものであり、簡易な操作により生簀の水平を維持したまま、沈下及び浮上をすることができ、しかも、波による影響を極力抑止して水平を維持することのできる浮沈式生簀及びそれを使用した魚介類の飼育方法を提供することを目的とする。
【課題を解決するための手段】
【０００９】
上記の目的を達成するため本発明は、
第１に、生簀が支持されると共に浮力体により水上に水平に浮かぶように構成された基本フレームと、該基本フレームに水平バランスが取れるように均等位置に設けられた防水機能付の複数のワイヤ巻取機と、上記各ワイヤ巻取機に対応して水底に固設された複数のアンカーと、上記各ワイヤ巻取機と対応する上記各アンカーとがワイヤにて接続された浮沈式生簀であって、上記各ワイヤ巻取機と電気ケーブルにて接続され、上記各ワイヤ巻取機を駆動制御する制御部と、該制御部に対して各種指令を行う操作部が船上又は陸上に設けられ、上記制御部には、複数の上記ワイヤ巻取機の各正逆駆動モータをワイヤ巻き取り方向の正方向又はワイヤ引き出し方向の逆方向に同時にオンオフ制御可能な同時オンオフ手段が設けられ、上記操作部に設けられた同時駆動スイッチを以って複数の上記正逆駆動モータを正方向又は逆方向に同時にオン又はオフすることにより、上記生簀を水中において水平姿勢を維持した状態で沈下及び浮上を行うものである浮沈式生簀により構成される。
【００１０】
上記水上とは例えば海上、上記水底とは例えば海底である。上記浮力体は例えばフロート（１２）により構成することができる。上記電気ケーブルは接続ケーブル（１９）により構成することができる。上記ワイヤ巻取機は例えば電動ウインチ（１３）により構成することができる。上記正逆駆動モータは例えば電動モータ（１４１〜１４３）により構成することができる。上記操作部は操作パネル（３５）により構成することができる。このように構成すると、同時駆動スイッチをオン又はオフするだけで、複数の正逆駆動モータを介して複数のワイヤ巻取機を同時に駆動して、ワイヤ巻き取り動作又は引き出し動作を同時に行うことができ、水平姿勢を維持した状態での生簀の浮沈動作を、極めて簡単な操作で行うことができる。
【００１１】
第２に、上記制御部に、上記各ワイヤ巻取機の上記各正逆駆動モータを個別に上記正方向又は上記逆方向にオンオフ制御可能な個別オンオフ手段が設けられ、上記操作部に上記各正逆駆動モータ毎に個別駆動スイッチが設けられ、上記操作部における上記個別駆動スイッチと上記同時駆動スイッチを以って、上記制御部の上記同時オンオフ手段と上記個別オンオフ手段とを各別に操作可能としたものである上記第１記載の浮沈式生簀により構成される。
【００１２】
このように構成すると個別駆動スイッチにより、正逆駆動モータを駆動することにより、特定のワイヤ巻取機のみの巻取り又は引き出し動作を行うことができ、例えば、水底が水平ではなく、生簀を水平にするためには特定のワイヤの長さを短く又は長くする必要がある場合においても、何ら支障なく、生簀を水平に設置することができる。
【００１３】
第３に、上記基本フレームに傾斜センサが設けられ、該傾斜センサが電気ケーブルにて上記制御部に接続されており、上記制御部には、上記傾斜センサからの信号に基づいて、上記個別オンオフ手段を以って上記基本フレームの姿勢を水平に制御する水平維持手段が設けられているものである上記第１又は２記載の浮沈式生簀により構成される。
【００１４】
このように構成すると、水平維持手段を動作状態にすることにより、基本フレームの水平姿勢を維持することができ、波或いは風等の影響による基本フレームの揺動を極力抑制することができる。
【００１５】
第４に、上記基本フレームに深度センサが設けられており、該深度センサが電気ケーブルにて上記制御部に接続され、上記操作部に深度入力部が設けられ、上記制御部には、上記深度センサからの信号に基づいて、上記同時オンオフ手段を以って上記各ワイヤ巻取機を駆動することにより、上記生簀を上記深度入力部から入力された所定の深度に沈下又は浮上させる深度制御手段が設けられているものである上記第１〜３の何れかに記載の浮沈式生簀により構成される。
【００１６】
上記深度入力部は例えばテンキー（４２）により構成することができる。このように構成すると、例えば生簀に飼育する魚類に適した深度を深度入力部から入力するだけで、生簀を所定の深度に沈下又は浮上させることができる。
【００１７】
第５に、上記第４記載の浮沈式生簀を使用した魚介類の飼育方法であり、上記深度入力部から、飼育する魚介類の種類に適した深度を入力し、上記制御部は、入力された深度に基づいて、上記各ワイヤ巻取機を駆動して、上記基本フレームを所定の深度に沈下又は浮上させ、上記生簀を上記深度に維持することを特徴とする浮沈式生簀を使用した魚介類の飼育方法により構成される。
【００１８】
このように構成すると、例えば海上において、魚介類を生簀にて飼育するにおいて、魚介類の種類に応じた最適の深度に生簀を容易に沈下又は浮上させることができる。
【００１９】
第６に、上記第４記載の浮沈式生簀を使用した魚介類の飼育方法であり、水上の船舶又は陸上から上記生簀内に到達する導入管を設け、上記導入管を通して上記生簀内の魚介類に餌を散布することを特徴とする浮沈式生簀を使用した魚介類の飼育方法により構成される。
【００２０】
上記導入管は例えばフレキシブルホース（４６）により構成することができる。このように構成すると、例えば生簀が深度の深い水中にあっても、導入管により、生簀の内部に餌を投入することができ、餌を無駄にすることなく、魚介類を効率的に飼育することができる。
【発明の効果】
【００２１】
本発明は以上のように、同時駆動スイッチをオン又はオフするだけで、複数の正逆駆動モータを介して複数のワイヤ巻取機を同時に駆動して、ワイヤ巻き取り動作又は引き出し動作を同時に行うことができ、水平姿勢を維持した状態での生簀の浮沈動作を、極めて簡単な操作で行うことができる。
【００２２】
また、正逆駆動モータを駆動することにより、特定のワイヤ巻取機のみの巻き取り又は引き出し動作を行うことができ、例えば、水底が水平ではなく、生簀を水平にするためには特定のワイヤの長さを短く又は長くする必要がある場合等においても、何ら支障なく、生簀を水平に設置することができる。
【００２３】
また、水平維持手段を動作状態にすることにより、基本フレームの水平姿勢を維持することができ、波或いは風等の影響による基本フレームの揺動を極力抑制することができる。
【００２４】
また、例えば生簀に飼育する魚介類に適した深度を深度入力部から入力するだけで、生簀を所定の深度に沈下又は浮上させることができる。
【００２５】
また、例えば海上において、魚介類を生簀にて飼育するにおいて、魚介類の種類に応じた最適の深度に生簀を容易に沈下又は浮上させることができる。
【００２６】
また、例えば生簀が深度の深い水中にあっても、導入管により、生簀の内部に餌を投入することができ、餌を無駄にすることなく、魚介類を効率的に飼育することができる。
【図面の簡単な説明】
【００２７】
【図１】本発明に係る浮沈式生簀の平面図である。
【図２】同上生簀の側面図である。
【図３】図１のＸ−Ｘ線断面図である。
【図４】同上生簀を海上に設置した状態の側面図である。
【図５】同上生簀を海上に設置した状態の生簀沈下状態の側面図である。
【図６】同上生簀を海上に設置した状態の斜視図である。
【図７】同上生簀の電気的ブロック図である。
【図８】同上生簀を制御する制御部の機能ブロック図である。
【図９】同上制御部のフローチャートを示す図である。
【図１０】同上制御部のフローチャートを示す図である。
【図１１】同上制御部のフローチャートを示す図である。
【図１２】同上制御部のフローチャートを示す図である。
【図１３】（ａ）は同上生簀の傾斜センサの側面図、（ｂ）は傾斜センサの特性図である。
【図１４】同上生簀の他の実施形態の平面図である。
【図１５】同上生簀の他の実施形態の側面図である。
【発明を実施するための形態】
【００２８】
以下、本発明における浮沈式生簀及び魚介類の飼育方法について詳細に説明する。
【００２９】
図１、図２に示すように、内周側の円形フレーム１と、同径の円形フレーム２とを上下に所定間隔Ｔを以って同心に配置し、これらのフレーム１，２の円周に沿う複数か所において、上下方向の垂直棒状部材３にて上記フレーム１，２を接続し、かつ上記下側のフレーム２と同一水準位置に、該フレーム２より直径大の外周側の外周円形フレーム４を同心に配置し、かつ上記垂直棒状部材３の設置位置において、半径方向の水平棒状部材５にて上記円形フレーム２と上記外周円形フレーム４とを同心に接続し、さらに上記垂直棒状部材３の設置個所において、上記上側の円形フレーム１から上記外周円形フレーム４に向けて傾斜棒状部材６にて上記円形フレーム１と上記外周円形フレーム４とを接続し、トラス構造による高強度の円環状の基本フレーム１０を形成する。尚、上記各フレーム１，２，４等の基本フレーム１０の構成素材は耐腐食性の点で亜鉛メッキ鋼管を使用することが好ましい。
【００３０】
上記下側の円形フレーム２と上記外周円形フレーム４との間において、円周に沿う９か所に、各々一対のフロート保持部材１１，１１を両フレーム２，４間に半径方向に接続固定し、上記各フロート保持部材１１，１１の下方に樹脂製のフロート１２（９個）を各々接続固定する。
【００３１】
上記フロート１２は、軽量の樹脂を同形同大の円筒中空に加工し、内部に空気その他の気体を充填し、同一の浮力を有するものであり、これらのフロート１２を上記基本フレーム１０の外周に一定角度（４０度毎）を以って均等に配置することにより、上記基本フレーム１０を海上にバランスよく水平に浮上させることができる。即ち、上記基本フレーム１０が水面上に水平に浮かぶように複数のフロート（浮力体）１２を上記基本フレーム１０に沿って均等に設置する。
【００３２】
このフロート１２は樹脂製に限らず、発砲スチロール製のフロート等、各種の浮力体を使用することができる。但し、上記基本フレーム１０に配置される各フロート１２は同一種（同形同大）のもので、各フロート１２が有する浮力が同一のものを使用する。
【００３３】
１３は上記円形フレーム２と上記外周円形フレーム４との間に固定された防水機能を有する電動ウインチであり、上記外周円形フレーム４の周方向に一定角度毎の３か所、即ち、１２０度の角度差を持った３か所に固定されている。即ち、上記基本フレーム１０に沿って当該フレーム１０の水平バランスの取れる複数個所（３か所）に複数の電動ウインチ（ワイヤ巻取機）１３を固設する。
【００３４】
これらの電動ウインチ１３は、それらの設置個所において、上記円形フレーム２と上記外周円形フレーム４との間に固定底板１３’を掛け渡して両フレーム２，４に固定されており、これらの固定底板１３’上に上記各電動ウインチ１３が各々固設されている。
【００３５】
これらの電動ウインチ１３は、防水機能を有する正逆回転可能の電動モータ１４と、該電動モータ１４のプーリに接続されたワイヤ巻取軸１５を有しており、上記ワイヤ巻取軸１５にはワイヤ１６の一端が接続固定されており、当該ワイヤ１６の他端は、海底２８に設置（固設）されたアンカー１７に接続固定されている。また、上記３台の電動モータ１４は、同一回転数（同一回転速度）で回転する同一特性のものであり、同時にオンオフすることにより、同一タイミングで回転開始及び回転停止するものである。
【００３６】
上記アンカー１７は例えばコンクリート製の頭部を水平にカットした四角錐形の重量物であり、海底２８に大径部を下に向けて載置可能な重さを有するものである。これらのアンカー１７は、上記電動ウインチ１３の設置個所に対応する海底２８の３か所に上記外周円形フレーム４と同心の仮想円Ｐに沿って１２０度の角度差を以って各々載置固定されている。
【００３７】
そして、これらアンカー１７の上面にはワイヤ固定用リング１８が各々固定されており、当該リング１８と上記ワイヤ巻取軸１５との間に、各々ワイヤ１６を接続固定する。そして、上記ワイヤ巻取軸１５を正方向に回転（電動モータ１４を正方向に回転）することで、上記各ワイヤ１６を当該各巻取部１５にて巻き取り可能に構成する。また、上記各ワイヤ巻取軸１５を逆方向に回転（電動モータ１４を逆方向に回転）することで、上記各ワイヤ１６を各ワイヤ巻取部１５から引き出し可能に構成する。
【００３８】
上記各ワイヤ巻取軸１５には周知のラチェット機構が設けられており、上記ワイヤ１６を巻き取る際、上記ワイヤ巻取軸１５は、巻き取り方向（正方向）に回転するが、逆方向には歯止めによってロックが掛かかるように構成されている。従って、ワイヤ１６を所定距離巻き取った時点で電動ウインチ１３の駆動を停止することで、上記ワイヤ巻取軸１５の回転をロックし得るように構成している。また、上記電動ウインチ１３を逆方向に駆動するときは、上記ラチェット機構の歯止めによるロックが解除され、上記ワイヤ巻取軸１５を逆方向に回転して上記ワイヤ１６を引き出し可能とする。
【００３９】
上記各電動ウインチ１３と上記各アンカー１７間の３本のワイヤ１６の長さは同一とし、上記電動ウインチ１３の非動作状態において、上記各フロート１２の浮力により、上記各ワイヤ１６が伸長状態となって上記基本フレーム１０が水平に海上に浮かぶように構成する。そして、上記３台の電動ウインチ１３を同時に駆動して、同一回転速度で各電動モータ１４を同一方向（正方向）に回転駆動することにより、上記３本の各ワイヤ１６を同じ速度で各ワイヤ巻取軸１５に同一方向に同時に巻き取り可能に構成されている。従って、上記３台の電動ウインチ１３のワイヤ１６の巻き取り量は同一となる。
【００４０】
このように上記３本のワイヤ１６を上記３か所の電動ウインチ１３にて同時に巻き取ることにより、上記基本フレーム１０をその水平状態を保持したまま、上記フロート１２の浮力に抗して、各電動ウインチ１３共々バランス良く海中に沈めることができる。
【００４１】
また、海中に沈めた状態の上記基本フレーム１０には上記各フロート１２の浮力が均等に常時作用しているため、上記電動ウインチ１３を同時に同一速度で逆方向に回転することにより、上記各ワイヤ１６を上記各ワイヤ巻取軸１５から同時に引き出して、上記基本フレーム１０をその水平状態を維持したまま、上記各フロート１２の浮力によって海上に浮上させることができる。従って、上記３台の電動ウインチ１３のワイヤ１６の引き出し量は同一となる。
【００４２】
かかる基本フレーム１０の浮上時においても、当該基本フレーム１０にはフロート１２の浮力が常時均等に作用しているので、上記引き出された各ワイヤ１６は伸張状態を維持しながら、上記基本フレーム１０をバランスよく水平に浮上させることができる。
【００４３】
上記各電動ウインチ１３の駆動部（モータ、減速機、ワイヤ巻取軸等）は完全防水、防塩の筺体（防水ケース）内に収納された防水機能付のものであり、上記各電動ウインチ１３自体が海中に沈んでも何ら問題ないように構成されている。また、各電動ウインチ１３の減速ギアの潤滑剤は水溶性で無毒無害のグリコール系のものを使用することが好ましい。
【００４４】
２９は、上記各電動ウインチ１３の筐体又は円形フレーム１に水平に固定された１軸の傾斜センサであり（図１、図１３参照）、上記３台の電動ウインチ１３の各筐体又は円形フレーム１の各々に設置されている（全３個）。この傾斜センサ２９は、各々円形フレーム２の中心Ｐ’の方向に向けて固定され、その回転軸２９ａ（図１３参照）は上記円形フレーム２の上記中心Ｐ’に向かう直線Ｌに直交して設けられている。従って、上記円形フレーム２が中心Ｐ’の方向に傾斜すると、即ち、上記傾斜センサ２９が中心Ｐ’方向（−方向）に傾斜すると、傾斜角度に比例したマイナスの電圧を出力し、上記円形フレーム２が中心Ｐ’は逆方向に傾斜すると、即ち、上記傾斜センサ２９が中心Ｐ’とは逆方向（＋方向）に傾斜すると、傾斜角度に比例したプラスの電圧を出力するように構成されている。尚上記傾斜センサ２９は水平状態を保っている場合は「０」の出力電圧を示す。
【００４５】
これらの３台の傾斜センサ１３は各々接続ケーブル３１（電気ケーブル）にて上記船上又は陸上の制御部３４に接続されている（図４、図７参照）。
【００４６】
さらに上記円形フレーム２の外周円形フレーム４の１箇所には深度センサ３０が固定されている。この深度センサ３０は水圧を感知して水深に比例した電圧を出力するものである。この深度センサ３０は接続ケーブル３２にて上記船上又は陸上の上記制御部３４に接続されている（図４、図７参照）。
【００４７】
上記各電動ウインチ１３、上記各傾斜センサ２９及び深度センサ３０は、接続ケーブル（電気ケーブル）１９，３１，３２によって水中ケーブル（電気ケーブル）２０に接続され、当該水中ケーブル２０は海上に浮かぶ水上中継ボックス２１に接続されている（図４参照）。
【００４８】
そして、上記水上中継ボックス２１と海上の船２２の操作盤２３又は陸上の操作盤２３とを接続ケーブル（電気ケーブル）２５で接続し、上記船２２上又は陸上の制御室２２’の発電機２４と上記操作盤２３とを電気的に接続する。これにより、上記船２２上又は陸上の上記制御室２２’の発電機２４を駆動し、上記操作盤２３を介して電源を上記接続ケーブル２５、水上中継ボックス２１、水中ケーブル２０、接続ケーブル１９，３１，３２を介して、上記３台の各電動ウインチ１３、３個の傾斜センサ２９、上記深度センサ３０に供給し得るように構成されている。上記水上中継ボックス２１は海に浮かぶようにフロートを具備しており、上記接続ケーブル２５、上記水中ケーブル２０を着脱し得るコネクタを有している。
【００４９】
上記円形フレーム２には  下方向けて、その全周に亘り生簀用の網（金網）２６が取り付けられており、当該網２６は上記円形フレーム２から円筒形状に下方に垂下した状態となっている。この網２６は、その底面にも同様の網（金網）２６ａが形成され、当該網２６ａにより閉鎖されており、上面２６ｂは通常開口しているが、上記上面２６ｂを網で閉鎖することもできるように構成されている。
【００５０】
図６に示すものは、本発明に係る浮沈式生簀を海上に設置した状態を示す図であり、当該実施形態では、電動ウインチ１３を基本フレーム１０の９０度毎の４か所に均等角度毎に設け、海底２８には上記４つの電動ウインチ１３に対応して４つのアンカー１７を設置し、各電動ウインチ１３と上記各アンカー１３とを４本のワイヤ１６にて接続したものである。
【００５１】
次に、上記各電動ウインチ１３等の駆動制御構成について説明する。
図７は、本発明に係る制御部３４のブロック図であり、当該制御部３４は、上記船２２の制御盤２３内、又は陸上の制御室２２’の制御盤２３内に設けられている。当該制御部３４には、上記３台の電動モータ１４が、各電動モータ１４に対応するドライバとしての３台の駆動回路３３を介して上記接続ケーブル１９により接続されており、かつ、上記３個の傾斜センサ２９が上記接続ケーブル３１により接続され、さらに上記深度センサ３０が上記接続ケーブル３２により接続され、かつ操作パネル３５が接続されている。尚、当該ブロック図においては中継ボックス２１は便宜上省略する（図８においても同じ）。
【００５２】
上記制御部３４はＣＰＵ等を具備するプログラマブルコントローラから構成されており、上記操作パネル３５から入力される指示に従って上記電動モータ１４を制御すると共に、図９〜図１２に示すプログラムに沿って処理を実行するものである。
【００５３】
上記各駆動回路３３は上記制御部３４に隣接した制御盤２３内に設けられている。尚、上記電気モータ１４、駆動回路３３、傾斜センサ２９等、複数存在するものについては、個別に指し示す場合は１４１、３３２等の下付数字を付して示す。
【００５４】
上記操作パネル３５には（図８参照）、電動モータ１４を同時にオンオフする同時駆動スイッチ４０が設けられている。この同時駆動スイッチ４０は正方向（ワイヤの巻き取り）スイッチ（＋）と、逆方向（ワイヤの引き出し）スイッチ（−）の２つで構成されており、何れも、スイッチの押圧時に、駆動回路３３を介して３台の電動モータ１４が同時に駆動され、スイッチから手を離すと、駆動回路３３を介して３台の電動モータ１４が同時に駆動停止されるように構成されている（図９参照）。
【００５５】
また上記操作パネル３５には、電動モータ１４１〜１４３を個別にオンオフする個別駆動スイッチ４１１〜４１３が設けられている。この個別駆動スイッチ４１１〜４１３は、各電動モータ１４１〜１４３を個別にオンオフするものであり、何れも正方向（ワイヤの巻き取り）スイッチ（＋）と、逆方向（ワイヤの引き出し）スイッチ（−）の２つで構成されている。何れも、スイッチの押圧時に、駆動回路３３１〜３３３を介してスイッチ４１１〜４１３に対応する電動モータ１４１〜１４３の何れかが駆動され、スイッチから手を離すと、駆動回路３３１〜３３３を介して駆動された電動モータが停止されるように構成されている（図１０参照）。
【００５６】
さらに、上記操作パネル３５には、深度を指定するためのテンキー４２が設けられており、当該テンキー４２から生簀を沈下する際の水面からの深度を任意に設定し得るように構成されている（図１１参照）。
【００５７】
図８は上記制御部３４の機能ブロック図であり、当該制御部３４は、上記同時駆動スイッチ４０の押圧に基づいて上記駆動回路３３１〜３３３を介して上記電動モータ１４１〜１４３を同時に正逆駆動、駆動停止する同時オンオフ手段３９、上記個別駆動スイッチ４１１〜４１３の押圧に基づいて上記駆動回路３３１〜３３３を介して上記電動モータ１４１〜１４３を各個別に正逆駆動、駆動停止する各電動モータ毎の個別オンオフ手段３６１〜３６３、上記傾斜センサ２９１〜２９３からの傾斜信号に基づいて、対応する電動モータ１４１〜１４３を正逆駆動、駆動停止すると共に、水平状態か否かを判断して基本フレーム１０を水平に維持する水平維持手段３７、深度センサ３０からの深度信号と、上記テンキー４２から入力する深度とを比較し、上記同時オンオフ手段３９を以って、入力された所定深度まで基本フレーム１０（生簀）を沈下又は浮上させる深度制御手段３８とを具備している。尚、上記水平維持手段３７は、上記傾斜センサ２９１〜２９３からの信号が全て「０」（水平）になったとき、操作パネル２５の水平表示部４４を点灯させる等して、上記基本フレーム１０が水平であることを操作者に表示する機能を有している。
【００５８】
本発明の浮沈式生簀は上述のように構成されるものであるから、次にその動作を説明する。
【００５９】
まず、図４に示すように、基本フレーム１０をフロート１２により海面２７に浮かべて、網２６を海中に垂下した状態で、上記３つの電動ウインチ１３に対応する位置の海底２８の３か所にアンカー１７を固定し、上記各アンカー１７と上記各電動ウインチ１３のワイヤ巻取軸１５との間にワイヤ１６を各々接続し、これらのワイヤ１６を同一長さとして上記基本フレーム１０を上記海面２７上に水平に浮かべた状態とする。
【００６０】
各電動ウインチ１３の各接続ケーブル１９、さらに上記傾斜センサ２９の接続ケーブル３１、深度センサ３０の接続ケーブル３２に接続された上記水中ケーブル２０を海面２７又は海中を介して水上中継ボックス２１に接続し、一方、船２２の操作盤２３に接続された接続ケーブル２５を上記水上中継ボックス２１に接続する。この状態において、網２６内において魚類（例えば、ハマチ、ブリ、カンパチ等）の養殖を行うことができる。
【００６１】
上記網２６を海中に沈める必要が生じた場合は、上記操作盤２３の操作パネル３５の同時駆動スイッチ４０の正方向スイッチを押圧すれば良い（図９Ｐ１参照）。すると、制御部３４の同時オンオフ手段３９が駆動回路３３１〜３３３を介して電動モータ１４１〜１４３を同時に正方向に駆動するため（図９Ｐ２，Ｐ３参照）、３台の電動ウインチ１３が正方向に同一回転速度で同時に回転駆動される。
【００６２】
すると、上記３台の各電動ウインチ１３のワイヤ巻取軸１５が正方向に同時に同一回転速度で回転駆動するので、上記３本のワイヤ１６を同時に同一速度で巻き取り開始する。これにより、上記基本フレーム１０は電動ウインチ１３の存在する円周方向の均等の３か所（図６の実施形態では均等の４か所）にて上記各ワイヤ１６が同一速度で均等に巻き取られて行くため、上記基本フレーム１０は、水平状態を保持したまま、各電動ウインチ１３共々各フロート１２の浮力に抗して下方に海中に沈んで行く。
【００６３】
そして、例えば図５に示すように、上記基本フレーム１０の上側の円形フレーム１が海面２７から所定の深度まで海中に完全に沈んだ位置において、上記同時駆動スイッチ４０の正方向スイッチの押圧動作を停止すれば良い（図９Ｐ３参照）。すると、上記電動モータ１４１〜１４３の駆動が同時に停止するため、上記各電動ウインチ１３の駆動が同時に停止する。
【００６４】
即ち、各電動ウインチ１３の各ワイヤ巻取軸１５が同時に停止され（図９Ｐ４参照）、各ワイヤ巻取軸１５がロックされて上記各ワイヤ１６の巻き取りが同時に停止する。このとき、３本の上記各ワイヤ１６は同じ長さだけ上記ワイヤ巻取軸１５に巻き取られているため、ワイヤ巻取後においても、上記基本フレーム１０は水平状態を維持したまま、図５に示すように海中に沈んだ状態を維持することができる。
【００６５】
このとき、上記基本フレーム１０には上記９個のフロート１２によってその全周に沿って垂直上向きの浮力が均等に作用するが、上記各電動ウインチ１３の各ワイヤ巻取軸１５が停止してその回転をロックしているので、上記基本フレーム１０は浮上することなく、図５に示す海中に沈下した状態を維持する。また、上記各電動ウインチ１３及び各ワイヤ１６は基本フレーム１０の水平バランスの取れる１２０度毎の３か所に設けられているので、上記浮力に対する垂直下向きの反力が上記基本フレーム１０に対して均等に作用し、従って、基本フレーム１０は水平状態を維持したまま、海中に沈下した状態を維持することができる。
【００６６】
尚、上記基本フレーム１０が図５のように水中に沈下した状態から基本フレーム１０を海上に浮上させるには、上記同時駆動スイッチ４０の逆方向スイッチ（−）を押圧すれば良い（図９Ｐ１参照）。すると、同様に、逆方向スイッチを押している間、３台の電動モータ１３が同時に同一回転速度で逆方向に駆動され、３台の電動ウインチ１３から同時にワイヤ１６が引き出されていく（図９Ｐ１〜Ｐ３参照）。上記基本フレーム１０には、常時上記フロート１２による浮力が均等に作用しているので、上記ワイヤ１６の引き出しにより、基本フレーム１０は上記フロート１２の浮力により水平を維持したまま浮上していく。
【００６７】
そして上記逆方向スイッチの押圧を解除すれば、３台の上記電動モータ１４が同時に停止するため（図９Ｐ４参照）、当該浮上位置で各ワイヤ巻取軸１５がロックされ、当該浮上位置にて生簀を水平状態で停止維持することができる。
【００６８】
また、上記電動モータ１４１〜１４３は、個別駆動スイッチ４１１〜４１３により、個別に駆動することもできる。例えば、海底に凹凸があり、アンカー１７の位置に高低がある場合、基本フレーム１０の水平を維持するには、各ワイヤ１６の長さを異ならせる必要がある。このため、上記電動ウインチ１３を個別に駆動する必要がある。
【００６９】
例えば、基本フレーム１０の水平を保つためには、電動ウインチ１３１（電動モータ１４１）のワイヤ１６のみを若干短くする必要がある場合は、個別駆動スイッチ４１１の正方向スイッチを押圧すれば良い（図１０Ｐ１参照）。すると、対応する個別オンオフ手段３６１が駆動回路３３１を介して電動モータ１４１を正方向に駆動するため（図１０Ｐ２，Ｐ３参照）、電動ウインチ１３１のワイヤ１６のみが巻き取られ、当該ワイヤ１６のみを短くすることができ、これにより基本フレーム１０の水平を保つことができる。尚、上記正方向スイッチの押圧を解除すれば、同様に、上記ワイヤ１６の巻き取り動作は停止する。
【００７０】
逆に、電動ウインチ１３１のワイヤ１６のみを若干長くする必要がある場合は、個別駆動スイッチ４１１の逆方向スイッチ（−）を押圧すれば良く、同様の動作により、電動ウインチ１３１にワイヤ１６を引き出すことができる（図１１Ｐ１〜Ｐ４参照）。
【００７１】
このように、電動ウインチ１３を各個別に駆動できるように構成されているため、海底の地形に拘わらず、基本フレーム１０を水平に維持することができるものである。また、このとき、操作パネル３５の操作者は、基本フレーム１０が水平となったことは操作パネル３５の水平表示部４４が点灯等するので、容易に確認することができる。このように、上記制御部３４の上記同時オンオフ手段３９と上記個別オンオフ手段３６とを各別に操作可能としたものである。
【００７２】
次に、生簀を所定の深度に沈めたい場合は、上記操作パネル３５のテンキー４２から希望する深度を入力すれば良い。ここでは、海面から１０ｍの位置に基本フレーム１０を沈下させるべく、上記テンキー４２から「１０ｍ」を入力する（図１１Ｐ１参照）。すると制御部３４の深度制御手段３８（検知手段３８ａ）は、深度センサ３０からの深度信号を検出し、現状の基本フレーム１０の深度を認識する。本実施形態の場合は、基本フレーム１０は海面上（深度０ｍ）に存在するので、深度制御手段３８（比較手段３８ｂ）は現状の深度（０ｍ）と入力された深度（１０ｍ）とを比較し、入力された深度は現状の深度より深いと判断し（図１１Ｐ２）、上記同時オンオフ手段３９に３台の電動モータ１４を正方向に回転（巻き取り）するように指令する（図１１Ｐ３参照）。
【００７３】
すると、上記同時オンオフ手段３９は、３台の電動モータ１４を同時に正方向に駆動し、その結果３台の電動ウインチ１３がワイヤ１６を同時に巻き取っていく（図１１Ｐ３参照）。よって、基本フレーム１０は水平を維持した状態で沈下していくが、上記深度制御手段３８（検知手段３８ａ）は上記深度センサ３０からの深度信号を検知しており（図１１Ｐ５参照）、上記深度が入力された深度（１０ｍ）に一致した時点で、３台の上記電動モータ１４の駆動を同時に停止する（図１１Ｐ６，Ｐ７参照）。すると、上記ワイヤ巻取軸１５が同時にロックされ、上記基本フレーム１０が深度１０ｍに達した時点で、水平状態を維持したまま停止する。
【００７４】
生簀の深度は、生簀にて飼育する魚介類の種類に応じて任意の深度に設定することができ、例えば海面から１０ｍの位置、海面から２０ｍの位置、海面から３０ｍの位置等、任意に設定することが可能である。
【００７５】
餌やり等において、生簀を浮上させる必要が生じた場合は、上記テンキー４２から例えば海面からの深度３ｍを入力すれば良い（図１１Ｐ１参照）。すると、深度制御手段３８（深度演算手段３８ｃ）は、現状の深度（１０ｍ）と入力された深度「３ｍ」を比較演算し、深度「３ｍ」に設定するには７ｍ浮上すれば良いと判断し（図１１Ｐ２参照）、上記同時オンオフ手段３９に３台の電動モータ１４を逆方向（−）に回転するように指令する（図１１Ｐ４参照）。
【００７６】
すると、上記同時オンオフ手段３９は、３台の電動モータ１４を同時に逆方向に駆動し、その結果３台の電動ウインチ１３がワイヤ１６を同時に引き出していく（図１１Ｐ４参照）。よって、基本フレーム１０は水平を維持した状態で浮上していくが、上記深度制御手段３８（検地手段３８ａ）は上記深度センサ３０からの深度信号を検知しており（図１１Ｐ５参照）、上記深度が入力された深度（３ｍ）に一致した時点で、３台の上記電動モータ１４の駆動を同時に停止する（図１１Ｐ６，Ｐ７参照）。すると、上記ワイヤ巻取軸１５が同時にロックされ、上記基本フレーム１０が深度３ｍに達した時点で、水平状態を維持したまま停止する。このように、テンキー４２から希望する深度を入力するだけで、生簀を所定の深度に設定することができる。
【００７７】
次に、生簀が自動的に水平を維持する動作を説明する。
上記制御部３４の水平維持手段３７は、３個の上記傾斜センサ２９１〜２９３から傾斜信号を受けており、各々傾斜信号のプラス又はマイナスに応じて電動モータ１４１〜１４３を各個別に駆動制御している（図１２参照）。
【００７８】
例えば水平維持手段３７の動作は、傾斜センサ２９１からの傾斜信号が例えばマイナス（中心Ｐ’側への傾斜）である場合はそれを検出し（図１２Ｐ１，Ｐ２参照）、対応する電動モータ１４１を正方向に回転駆動し、そのワイヤ１６のみを巻き取る動作を行う（図１２Ｐ３）。また、傾斜センサ２９１からの傾斜信号が例えばプラス（中心Ｐ’とは反対側への傾斜）である場合はそれを検出し（図１２Ｐ１）、対応する電動モータ１４１を逆方向に回転駆動し、そのワイヤ１６のみを引き出す動作を行う（図１２Ｐ４参照）。
【００７９】
その後、水平維持手段３７は上記傾斜センサ２９１からの信号が水平時の「０」になったか否かを検出し、「０」になっていなければ、ステップＰ１に戻って同様の動作を繰り返し行う（図１２Ｐ１〜Ｐ４，Ｐ１３参照）。上記傾斜センサ２９１及び他の傾斜センサ２９２，２９３からの信号が全て「０」になった場合は、水平表示部４４への表示後（図１２Ｐ１４）、処理を終了するか否かの判断を行い（図１２Ｐ１５）、処理が終了していない場合は、ステップＰ１に戻って再び同様の動作を繰り返す。
【００８０】
尚、上記水平維持手段３７は、傾斜センサ２９２、傾斜センサ２９３からの信号も受信しており、各々、同様に傾斜振動がマイナスかプラスかによって、電動ウインチ１３２，１３３の巻き取り又は引き出しを行い（図１２Ｐ５〜Ｐ８参照、同図Ｐ９〜Ｐ１２参照）、最終的に水平か否かを検出し（図１２Ｐ１３参照）、最終的に処理が終了するまで同様の動作を繰り返し行う。従って、上記水平維持手段３７は上記傾斜センサ２９１〜２９３の全てのセンサにおいて出力電圧が「０」となり、全てのセンサにおいて水平と判断された場合に、上記水平表示部４４に水平である旨の表示、例えば水平表示部４４の点灯を行う。
【００８１】
上記水平維持動作により、常時、傾斜センサ２９１〜２９３からの信号を検知しており、上記傾斜信号に基づいて、各電動モータを正逆駆動することにより、３本のワイヤ１６の巻き取り及び引き出しを常時行うことにより、上記基本フレーム１０の水平を維持することができる。従って、上記基本フレーム１０は、波、或いは風等の影響により常時、何れかの方向に傾斜して揺動を繰り返しているものであるが、上記の水平姿勢制御を行うことにより、上記揺動（揺れ）を極力少なくして、生簀の水平な姿勢を維持することができる。
【００８２】
尚、上記水平姿勢制御（図１２の制御）は、上記操作パネル３５に水平姿勢制御スイッチ４５を設け、当該スイッチ４５をオンしているときにのみ行うようにしても良い。
【００８３】
また、上記本発明に係る浮沈式生簀を使用した魚介類の飼育方法としては、上記テンキー４２から、飼育する魚介類（例えばハマチ、ブリ等）の種類に適した深度を入力する。すると上記制御部３４（深制御手段３８）は、入力された深度に基づいて、同時オンオフ手段３９が各ワイヤ巻取機（３台、電動モータ１４１〜１４３）を同時に駆動して、上記基本フレーム１０を所定の深度に沈下又は浮上させ、上記生簀を上記魚介類に適した当該深度に維持することができる。
【００８４】
このように構成すると、例えば海上において、魚類を生簀にて飼育（養殖を含む）するにおいて、魚介類の種類に応じた最適の深度に生簀を容易に沈下又は浮上させることができる。
【００８５】
また、本発明に係る浮沈式生簀を使用した魚介類の飼育方法としては、水上の船舶又は陸上から上記生簀内に到達する導入管（例えばフレキシブルホース４６、図６参照）を設け、上記フレキシブルホース４６を通して上記生簀内の魚介類に餌を散布することができる。
【００８６】
このように構成すると、例えば生簀が深度の深い水中にあっても、フレキシブルホース４６により、生簀の内部に餌を投入することができ、餌を無駄にすることなく、魚介類を効率的に飼育することができる。
【００８７】
本発明は、上述のように、浮沈式生簀を海中に沈めることにより、魚介類の適性適温の水位（任意の深度）に生簀を維持することができ、適切な条件にて養殖を行うことができる。
【００８８】
また、台風時、荒天時等、波浪の激しい天候時等において、一時的に短時間だけ生簀を海中に沈下させることもできる。
【００８９】
また、波、風等の影響の少ない海中に沈下させた状態で魚介類の飼育（養殖を含む）を行うことができるので、従来不適とされていた波、風の影響が大きい海上（沖合等）での飼育等を可能とすることができる。
【００９０】
また、海面より約３ｍ以下に生簀を沈下させることにより、網に付着するアオサ、藻等の発生を少なくすることができる。
【００９１】
さらに重油等の流出事故、赤潮等（海表面上）が生じても、海中に生簀を沈下させた状態を維持することにより、重油等による被害を少なくすることができる。
【００９２】
また、本発明における浮沈式生簀は船上又は陸上から電気的に制御することができるので、本発明に係る浮沈式生簀を海上に複数設置し、船上又は陸上にて複数の浮沈式生簀を集中的に浮沈制御することもできる。
【００９３】
図１４、図１５に示すものは、本発明の浮沈式生簀の他の実施形態である。この浮沈式生簀は、牡蠣４３等の貝類の養殖に使用するものである。この浮沈式生簀は、上記実施形態と基本的構造は同じであるので、対応部分には同一符号を付している。上記実施形態と相違する部分は、基本フレーム１０が方形である点、及び、電動ウインチ１３が基本フレーム（方形フレーム）１０の中央部（重心位置）に１つだけ設けられており、当該電動ウインチ１３に対応する海底にアンカー１７が１つだけ設けられ、上記一つのアンカー１７と上記一つの電動ウインチ１３とが１本のワイヤ１６にて接続されている点である。
【００９４】
また、養殖すべき牡蠣４３は、外周方形フレーム４に沿って複数の紐（貝類養殖用線状体）４７を垂下し、当該紐４７に沿って牡蠣を生育するものである。
【００９５】
また上記基本フレーム１０の外周方形フレーム４の内側には、複数本の支持フレーム４８が平行に配置固定されており、その中央の一対の支持フレーム４８，４８間に固定底板１３’が固定されており、当該固定底板１３’上に上記電動ウインチ１３が固定されており、上記ワイヤ１６は上記固定底板１３’に設けられた開口１３”から下方向けて垂下されている。尚、４９は上記固定底板１３’の支持フレームである。
【００９６】
上記電動ウインチ１３の駆動制御構成は上記実施形態と同様であり、上記船２２上又は陸上の制御室の操作盤２３から接続ケーブル２５、水上中継ボックス２１、水中ケーブル２０等を介して上記電動ウインチ１３が上記発電機２４に接続されている。そして、上記操作盤２３によって上記電動ウインチ１３の駆動停止の制御を行う。
【００９７】
かかる実施形態の浮沈式生簀においても、上記電動ウインチ１３を正逆回転駆動することにより、当該生簀を海中に沈下することができ、上記の実施形態と同様の効果を得ることができる。このとき、上記電動ウインチ１３は基本フレーム１０の重心位置に位置しているので、沈下するとき基本フレーム１０は、フロート１２の浮力に抗して水平状態を維持しながらバランスよく沈下させることができるし、電動ウインチ１３を逆回転させることで、基本フレーム１０の水平状態を維持しながら上記フロート１２の浮力によってバランス良く浮上させることができる。また、深度センサ３０を設置し、図８の実施形態のように、所定の深度に沈下又は浮上するように構成することもできる。
【００９８】
また、この実施形態によると、電動ウインチ１３、ワイヤ１６、アンカー１７は各１つで良いため、簡単な構造であるし、少ない電力で浮沈式生簀を実現することができる。
【００９９】
尚、図２の実施形態において網２６に代えて貝類養殖用線状体（紐）４７を用いても良いし、図９の実施形態において紐４７に代えて円筒状の網２６を用いても良い。
【０１００】
本発明は上述のように、同時駆動スイッチ４０をオン又はオフするだけで、複数の正逆駆動モータ１４を介して複数のワイヤ巻取機１３を同時に駆動して、ワイヤ巻き取り動作又は引き出し動作を同時に行うことができ、水平姿勢を維持した状態での生簀の浮沈動作を、極めて簡単な操作で行うことができる。
【０１０１】
また、正逆駆動モータ１４を駆動することにより、特定のワイヤ巻取機１３のみの巻取り又は引き出し動作を行うことができ、例えば、水底が水平ではなく、生簀を水平にするためには特定のワイヤ１６の長さを短く又は長くする必要がある場合においても、何ら支障なく、生簀を水平に設置することができる。
【０１０２】
また、水平維持手段３７を常時動作状態にすることにより、基本フレーム１０の水平姿勢を常時維持することができ、波或いは風等の影響による基本フレーム１０の揺動を極力抑制することができる。
【０１０３】
また、例えば生簀に飼育する魚介類に適した深度を深度入力部４２から入力するだけで、生簀を所定の深度に沈下又は浮上させることができる。
【０１０４】
また、例えば海上において、魚介類を生簀にて飼育するにおいて、魚介類の種類に応じた最適の深度に生簀を容易に沈下又は浮上させることができる。
【０１０５】
また、例えば生簀が深度の深い水中にあっても、導入管により、生簀の内部に餌を投入することができ、餌を無駄にすることなく、魚介類を効率的に飼育することができる。
【産業上の利用可能性】
【０１０６】
本発明に係る浮沈式生簀によると、天候、海水温度、海流等に左右されずに設置が可能であるため、養殖すべき魚介類にとって最適な環境に浮沈式生簀を設置することができるものである。
【符号の説明】
【０１０７】
１０            基本フレーム
１２            フロート（浮力体）
１３            電動ウインチ（ワイヤ巻取機）
１４            電動モータ（正逆駆動モータ）
１６            ワイヤ
１７            アンカー
１９，３１，３２  接続ケーブル（電気ケーブル）
２０            水中ケーブル
２９            傾斜センサ
３０            深度センサ
３４            制御部
３５            操作パネル（操作部）
３６            個別オンオフ手段
３７            水平維持手段
３８            深度制御手段
３９            同時オンオフ手段
４０            同時駆動スイッチ
４１            個別駆動スイッチ
４２            テンキー（深度入力部）
４６            フレキシブルホース（導入管）
【図１】
2019097415.tif 000003
【図２】
2019097415.tif 000004
【図３】
2019097415.tif 000005
【図４】
2019097415.tif 000006
【図５】
2019097415.tif 000007
【図６】
2019097415.tif 000008
【図７】
2019097415.tif 000009
【図８】
2019097415.tif 000010
【図９】
2019097415.tif 000011
【図１０】
2019097415.tif 000012
【図１１】
2019097415.tif 000013
【図１２】
2019097415.tif 000014
【図１３】
2019097415.tif 000015
【図１４】
2019097415.tif 000016
【図１５】
2019097415.tif 000017
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
生簀が支持されると共に浮力体により水上に水平に浮かぶように構成された基本フレームと、該基本フレームに水平バランスが取れるように均等位置に設けられた防水機能付の複数のワイヤ巻取機と、上記各ワイヤ巻取機に対応して水底に固設された複数のアンカーと、上記各ワイヤ巻取機と対応する上記各アンカーとがワイヤにて接続された浮沈式生簀であって、
上記各ワイヤ巻取機と電気ケーブルにて接続され、上記各ワイヤ巻取機を駆動制御する制御部と、該制御部に対して各種指令を行う操作部が船上又は陸上に設けられ、
上記制御部には、複数の上記ワイヤ巻取機の各正逆駆動モータをワイヤ巻き取り方向の正方向又はワイヤ引き出し方向の逆方向に同時にオンオフ制御可能な同時オンオフ手段が設けられ、
上記操作部に設けられた同時駆動スイッチを以って複数の上記正逆駆動モータを正方向又は逆方向に同時にオン又はオフすることにより、上記生簀を水中において水平姿勢を維持した状態で沈下及び浮上を行うものであり、
上記制御部に、上記各ワイヤ巻取機の上記各正逆駆動モータを個別に上記正方向又は上記逆方向にオンオフ制御可能な個別オンオフ手段が設けられ、
上記操作部に上記各正逆駆動モータ毎に個別駆動スイッチが設けられ、
上記操作部における上記個別駆動スイッチと上記同時駆動スイッチを以って、上記制御部の上記同時オンオフ手段と上記個別オンオフ手段とを各別に操作可能としたものであり、
かつ、上記基本フレームに傾斜センサが設けられ、該傾斜センサが電気ケーブルにて上記制御部に接続されており、
上記制御部には、上記傾斜センサからの信号に基づいて、上記個別オンオフ手段を以って上記基本フレームの姿勢を水平に制御する水平維持手段が設けられており、
上記水平維持手段は、上記操作部において水平であることの表示を行うものである浮沈式生簀。
【請求項２】
上記基本フレームに深度センサが設けられており、該深度センサが電気ケーブルにて上記制御部に接続され、
上記操作部に深度入力部が設けられ、
上記制御部には、上記深度センサからの信号に基づいて、上記同時オンオフ手段を以って上記各ワイヤ巻取機を駆動することにより、上記生簀を上記深度入力部から入力された所定の深度に沈下又は浮上させる深度制御手段が設けられているものである請求項１記載の浮沈式生簀。
【請求項３】
請求項２載の浮沈式生簀を使用した魚介類の飼育方法であり、
上記深度入力部から、飼育する魚介類の種類に適した深度を入力し、
上記制御部は、入力された深度に基づいて、上記各ワイヤ巻取機を駆動して、上記基本フレームを所定の深度に沈下又は浮上させ、上記生簀を当該深度に維持することを特徴とする浮沈式生簀を使用した魚介類の飼育方法。
【請求項４】
請求項２記載の浮沈式生簀を使用した魚介類の飼育方法であり、
水上の船舶又は陸上から上記生簀内に到達する導入管を設け、
上記導入管を通して上記生簀内の魚介類に餌を散布することを特徴とする浮沈式生簀を使用した魚介類の飼育方法。
【手続補正２】
【補正対象書類名】明細書
【補正対象項目名】０００９
【補正方法】変更
【補正の内容】
【０００９】
上記の目的を達成するため本発明は、
第１に、生簀が支持されると共に浮力体により水上に水平に浮かぶように構成された基本フレームと、該基本フレームに水平バランスが取れるように均等位置に設けられた防水機能付の複数のワイヤ巻取機と、上記各ワイヤ巻取機に対応して水底に固設された複数のアンカーと、上記各ワイヤ巻取機と対応する上記各アンカーとがワイヤにて接続された浮沈式生簀であって、上記各ワイヤ巻取機と電気ケーブルにて接続され、上記各ワイヤ巻取機を駆動制御する制御部と、該制御部に対して各種指令を行う操作部が船上又は陸上に設けられ、上記制御部には、複数の上記ワイヤ巻取機の各正逆駆動モータをワイヤ巻き取り方向の正方向又はワイヤ引き出し方向の逆方向に同時にオンオフ制御可能な同時オンオフ手段が設けられ、上記操作部に設けられた同時駆動スイッチを以って複数の上記正逆駆動モータを正方向又は逆方向に同時にオン又はオフすることにより、上記生簀を水中において水平姿勢を維持した状態で沈下及び浮上を行うものであり、上記制御部に、上記各ワイヤ巻取機の上記各正逆駆動モータを個別に上記正方向又は上記逆方向にオンオフ制御可能な個別オンオフ手段が設けられ、上記操作部に上記各正逆駆動モータ毎に個別駆動スイッチが設けられ、上記操作部における上記個別駆動スイッチと上記同時駆動スイッチを以って、上記制御部の上記同時オンオフ手段と上記個別オンオフ手段とを各別に操作可能としたものであり、かつ、上記基本フレームに傾斜センサが設けられ、該傾斜センサが電気ケーブルにて上記制御部に接続されており、上記制御部には、上記傾斜センサからの信号に基づいて、上記個別オンオフ手段を以って上記基本フレームの姿勢を水平に制御する水平維持手段が設けられており、上記水平維持手段は、上記操作部において水平であることの表示を行うものである浮沈式生簀により構成される。
【手続補正３】
【補正対象書類名】明細書
【補正対象項目名】００１０
【補正方法】変更
【補正の内容】
【００１０】
上記水上とは例えば海上、上記水底とは例えば海底である。上記浮力体は例えばフロート（１２）により構成することができる。上記電気ケーブルは接続ケーブル（１９）により構成することができる。上記ワイヤ巻取機は例えば電動ウインチ（１３）により構成することができる。上記正逆駆動モータは例えば電動モータ（１４１〜１４３）により構成することができる。上記操作部は操作パネル（３５）により構成することができる。このように構成すると、同時駆動スイッチをオン又はオフするだけで、複数の正逆駆動モータを介して複数のワイヤ巻取機を同時に駆動して、ワイヤ巻き取り動作又は引き出し動作を同時に行うことができ、水平姿勢を維持した状態での生簀の浮沈動作を、極めて簡単な操作で行うことができる。このように構成すると個別駆動スイッチにより、正逆駆動モータを駆動することにより、特定のワイヤ巻取機のみの巻取り又は引き出し動作を行うことができ、例えば、水底が水平ではなく、生簀を水平にするためには特定のワイヤの長さを短く又は長くする必要がある場合においても、何ら支障なく、生簀を水平に設置することができる。このように構成すると、水平維持手段を常時動作状態にすることにより、基本フレームの水平姿勢を常時維持することができ、波或いは風等の影響による基本フレームの揺動を極力抑制することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１５
【補正方法】変更
【補正の内容】
【００１５】
第２に、上記基本フレームに深度センサが設けられており、該深度センサが電気ケーブルにて上記制御部に接続され、上記操作部に深度入力部が設けられ、上記制御部には、上記深度センサからの信号に基づいて、上記同時オンオフ手段を以って上記各ワイヤ巻取機を駆動することにより、上記生簀を上記深度入力部から入力された所定の深度に沈下又は浮上させる深度制御手段が設けられているものである上記第１に記載の浮沈式生簀により構成される。
【手続補正８】
【補正対象書類名】明細書
【補正対象項目名】００１７
【補正方法】変更
【補正の内容】
【００１７】
第３に、上記第２記載の浮沈式生簀を使用した魚介類の飼育方法であり、上記深度入力部から、飼育する魚介類の種類に適した深度を入力し、上記制御部は、入力された深度に基づいて、上記各ワイヤ巻取機を駆動して、上記基本フレームを所定の深度に沈下又は浮上させ、上記生簀を当該深度に維持することを特徴とする浮沈式生簀を使用した魚介類の飼育方法により構成される。
【手続補正９】
【補正対象書類名】明細書
【補正対象項目名】００１９
【補正方法】変更
【補正の内容】
【００１９】
第４に、上記第２記載の浮沈式生簀を使用した魚介類の飼育方法であり、水上の船舶又は陸上から上記生簀内に到達する導入管を設け、上記導入管を通して上記生簀内の魚介類に餌を散布することを特徴とする浮沈式生簀を使用した魚介類の飼育方法により構成される。